(57)【要約】【課題】  複数の鍵の形状を変えず、簡単な構造で、音高に応じて複数の鍵の鍵タッチ感を簡単に変えることができる鍵盤装置を提供する。【解決手段】  鍵盤シャーシ１と、この鍵盤シャーシ１上に並列に配列され、それぞれ鍵盤シャーシ１に固定される連結固定部３に上下方向に弾性変形するヒンジ部４を介して鍵本体部５が形成された複数の鍵２と、鍵盤シャーシ１に設けられ、複数の鍵２の各ヒンジ部４の下面にそれぞれ当接する位置が複数の鍵２の音高に応じて互いに異なる複数の支点部２０と、を備えている。従って、複数の鍵２の各ヒンジ部４の下面に対する複数の支点部２０の当接位置に応じて、複数の鍵２の押鍵荷重を変えることができるので、複数の鍵２の各鍵タッチ感を音高に応じて変えることができる。【選択図】        図２
2015011145.tif 000002
【特許請求の範囲】
【請求項１】
鍵盤シャーシと、
この鍵盤シャーシ上に並列に配列され、それぞれ前記鍵盤シャーシに固定される固定部に上下方向に弾性変形するヒンジ部を介して鍵本体部が形成された複数の鍵と、
前記鍵盤シャーシに設けられ、前記複数の鍵の前記ヒンジ部それぞれに当接する位置が前記複数の鍵の音高に応じて互いに異なる複数の支点部と、
を備えていることを特徴とする鍵盤装置。
【請求項２】
請求項１に記載の鍵盤装置において、前記複数の支点部は、前記ヒンジ部の前端部から前記支点部までの距離が、前記複数の鍵の低音域側で短く、前記複数の鍵の高音域側で長く設定されていることを特徴とする鍵盤装置。
【請求項３】
請求項１または請求項２に記載の鍵盤装置において、前記複数の支点部は、前記ヒンジ部それぞれに対する当接位置が前記複数の鍵の音高順に徐々に異なっていることを特徴とする鍵盤装置。
【発明の詳細な説明】
【技術分野】
【０００１】
この発明は、電子ピアノや電子オルガンなどの電子鍵盤楽器の鍵盤装置に関する。
【背景技術】
【０００２】
例えば、電子鍵盤楽器においては、特許文献１に記載されているように、鍵盤シャーシ上に複数の鍵を上下方向に回転可能に配置すると共に、この複数の鍵をそれぞれ板ばねのばね力によって弾力的に押し上げ、この板ばねのばね力に抗して鍵を押鍵操作するように構成されたものが知られている。
【先行技術文献】
【特許文献】
【０００３】
【特許文献１】特開平０７−２７１３６６号公報
【０００４】
このような電子鍵盤楽器では、複数の鍵に対応する各板ばねの一端部をそれぞれ鍵に設けられた各鍵係止部に係止させ、他端部を鍵盤シャーシにそれぞれ設けられた各シャーシ係止部に係止させ、この状態で各板ばねをそれぞれ上方に向けて凸形状となるように湾曲させることにより、各鍵をそれぞれ弾力的に押し上げている。
【０００５】
この種の電子鍵盤楽器は、各鍵に対応する板ばねの設置状態を各鍵の音高に応じて変えることにより、複数の鍵の音高に応じて鍵タッチ感が変わるように構成されている。すなわち、この電子鍵盤楽器は、各鍵に対応する板ばねの一端部が係止される各鍵の鍵係止部の上下位置を音高に応じてそれぞれ異ならせ、板ばねの他端部が係止される鍵盤シャーシのシャーシ係止部を一定の位置に設けることにより、各板ばねの湾曲状態をそれぞれ音高に応じて変え、これにより各板ばねのばね力が音高に応じてそれぞれ異なるように構成されている。
【０００６】
例えば、高音域の鍵では鍵係止部の当接位置を高く形成し、低音域の鍵では鍵係止部の当接位置を低く形成し、高音域の板ばねのばね力を低音域の板ばねのばね力よりも小さくすることにより、高音域の鍵タッチ感が低音域の鍵タッチ感よりも軽くなるように構成されている。
【発明の概要】
【発明が解決しようとする課題】
【０００７】
しかしながら、このような電子鍵盤楽器では、鍵の音高に応じて鍵タッチ感を変えるために、各板ばねの一端部を係止する各鍵の鍵係止部の上下位置を音高に応じて変えて、各板ばねの湾曲状態をそれぞれ音高に応じて変える必要がある。このため、複数の鍵の各鍵係止部を各鍵ごとに異なる位置に形成しなければならず、複数の鍵の形状が音高に応じてそれぞれ異なることなる。このため、各鍵の製作が面倒で煩雑になるばかりか、製作コストが高くなるという問題がある。
【０００８】
この発明が解決しようとする課題は、複数の鍵の形状を変えず、簡単な構造で、音高に応じて複数の鍵の鍵タッチ感を簡単に変えることができる鍵盤装置を提供することである。
【課題を解決するための手段】
【０００９】
この発明は、鍵盤シャーシと、この鍵盤シャーシ上に並列に配列され、それぞれ前記鍵盤シャーシに固定される固定部に上下方向に弾性変形するヒンジ部を介して鍵本体部が形成された複数の鍵と、前記鍵盤シャーシに設けられ、前記複数の鍵の前記ヒンジ部それぞれに当接する位置が前記複数の鍵の音高に応じて互いに異なる複数の支点部と、を備えていることを特徴とする鍵盤装置である。
【発明の効果】
【００１０】
この発明によれば、複数の鍵の各ヒンジ部に対する複数の支点部の当接位置に応じて、複数の鍵の押鍵荷重を変えることができるので、複数の鍵の各鍵タッチ感を音高に応じて変えることができる。このため、複数の鍵の形状を変えずに、複数の鍵の各ヒンジ部に対する複数の支点部の当接位置を変えるだけの簡単な構造で、複数の鍵の各鍵タッチ感を簡単に各鍵の音高に応じて変えることができる。これにより、各鍵の製作が容易にでき、装置全体の生産性が良く、装置全体の低コスト化を図ることができる。
【図面の簡単な説明】
【００１１】
【図１】この発明を電子鍵盤楽器に適用した一実施形態において、一部の鍵を取り除いた状態を示した要部の平面図である。
【図２】図１に示された電子鍵盤楽器のＡ−Ａ矢視における要部の拡大断面図である。
【図３】図２に示された電子鍵盤楽器における低音域側の要部を示し、（ａ）はその要部の拡大断面図、（ｂ）はその低音域側の鍵における押鍵ストロークに対する鍵荷重を示した特性図である。
【図４】図２に示された電子鍵盤楽器における中音域側の要部を示し、（ａ）はその要部の拡大断面図、（ｂ）はその中音域側の鍵における押鍵ストロークに対する鍵荷重を示した特性図である。
【図５】図２に示された電子鍵盤楽器における高音域側の要部を示し、（ａ）はその要部の拡大断面図、（ｂ）はその高音域側の鍵における押鍵ストロークに対する鍵荷重を示した特性図である。
【発明を実施するための形態】
【００１２】
以下、図１〜図５を参照して、この発明を電子鍵盤楽器に適用した一実施形態について説明する。
この電子鍵盤楽器は、図１および図２に示すように、楽器ケースの下部ケースを兼ねる鍵盤シャーシ１を備えている。この鍵盤シャーシ１の上部には、複数の鍵２が音高順に並列に配列された状態で、上下方向に回転するように取り付けられている。これら複数の鍵２は、白鍵と黒鍵とを備えている。ただし、この実施形態では、白鍵について説明する。
【００１３】
この鍵２は、図１および図２に示すように、鍵盤シャーシ１上に固定される連結固定部３と、この連結固定部３の前端部（図２では右端部）に形成されたヒンジ部４と、このヒンジ部４の前端部（図２では右端部）に形成された鍵本体部５とを有している。本実施形態においては、ヒンジ部４と鍵本体５とが合成樹脂によって一体に形成されているように構成されているが、両者が別部材で構成されていても良い。
【００１４】
連結固定部３は、図１に示すように、鍵２の配列方向に沿って連続する帯板状に形成されている。この連結固定部３の前端部（図１では下辺部）には、複数のヒンジ部４を介して複数の鍵本体部５が、並列に配列された状態で、櫛形状に一体に形成されている。また、この連結固定部３は、図２に示すように、鍵盤シャーシ１の後端上部（図２では左端上部）に設けられた鍵支持部６の後部（図２では左側部）上にビス６ａによって固定されている。
【００１５】
ヒンジ部４は、図１および図２に示すように、肉厚の薄い板状の薄肉部であり、連結固定部３の前端部（図２では右端部）から鍵２の前側（図２では右側）に向けて突出し、この状態で鍵本体部５の押鍵操作に応じて上下方向に弾性変形（撓み変形）するように構成されている。鍵本体部５は、ヒンジ部４の前端部から鍵盤シャーシ１の前部の上方に位置する個所に亘って設けられている。
【００１６】
これにより、鍵２は、図２において鍵本体部５が押鍵操作されると、ヒンジ部４が上下方向に弾性変形することにより、鍵本体部５が上下方向に回転移動するように構成されている。この場合、鍵本体部５の後端下部（図２では左端下部）には、ヒンジ規制部７がヒンジ部４の下側に突出して設けられている。このヒンジ規制部７は、図２において鍵本体部が押鍵操作されてヒンジ部４が弾性変形した際に、ヒンジ規制部７の下端部が鍵盤シャーシ１の鍵支持部６上に当接するように構成されている。
【００１７】
また、鍵２の鍵本体部５の前側内部（図２では右側内部）には、図２に示すように、鍵盤シャーシ１の前部上に起立して設けられた鍵ガイド部８が摺動可能に挿入されている。これにより、鍵２は、押鍵操作された際に、鍵ガイド部８が鍵本体部５内を相対的に上下方向に摺動することにより、鍵２の横振れを防ぐように構成されている。
【００１８】
また、この鍵２の鍵本体部５におけるほぼ中間部には、図２に示すように、鍵２の上下位置を規制するための位置規制部９が下側に突出して設けられている。この位置規制部９は、その下部に突起部９ａが鍵２の後方（図２では左側）に向けて突出して設けられ、この突起部９ａが鍵盤シャーシ１の立上り部１０に設けられた開口部１０ａ内に挿入した状態で、上下方向に移動するように構成されている。
【００１９】
この位置規制部９は、図２に示すように、鍵２の鍵本体部５が押し下げられた際に、位置規制部９の下端が、鍵盤シャーシ１の立上り部１０における開口部１０ａの下部に設けられた下限ストッパ１１に上側から当接するように構成されている。これにより、位置規制部９は、鍵本体部５の下限位置を規制するように構成されている。
【００２０】
また、この位置規制部９は、図２に示すように、押鍵された鍵２が初期位置に復帰する際に、位置規制部９の突起部９ａが、鍵盤シャーシ１の立上り部１０における開口部１０ａの上部に設けられた上限ストッパ１２に下側から当接するように構成されている。これにより、位置規制部９は、鍵本体部５の上限位置を規制するように構成されている。
【００２１】
さらに、この鍵２の鍵本体部５には、図２に示すように、鍵盤シャーシ１に設けられたスイッチ部材１４のスイッチ部１５を押圧するスイッチ押圧部１３が設けられている。このスイッチ部材１４は、図１および図２に示すように、鍵盤シャーシ１の前後方向（図２では左右方向）におけるほぼ中間に位置する上部に、鍵２の配列方向に沿って連続して設けられている。
【００２２】
このスイッチ部材１４は、図１および図２に示すように、鍵盤シャーシ１上に取り付けられたスイッチ基板１６と、このスイッチ基板１６上に取り付けられて鍵２のスイッチ押圧部１３によって押圧されるスイッチ部１５とを備えている。スイッチ基板１６は、鍵２の配列方向に沿って連続する帯板状に形成されている。このスイッチ基板１６は、鍵盤シャーシ１における後端部の鍵支持部６と中間部の立上り部１０との間にそれぞれ起立して設けられた基板支持部１７によって、鍵盤シャーシ１上に取り付けられている。
【００２３】
スイッチ部１５は、図１および図２に示すように、スイッチ基板１６上に配置されたゴムシート１８を備えている。このゴムシート１８は、スイッチ基板１６の前後方向（図２では左右方向）の長さよりも短い長さ（幅）で、鍵２の配列方向に沿って連続する細長い帯状に形成されている。このゴムシート１８には、ドーム形状の膨出部１９が複数の鍵２の各スイッチ押圧部１３にそれぞれ対応して形成されている。
【００２４】
このドーム形状の膨出部１９は、図２に示すように、その弾性復帰力である反発力によって鍵２のスイッチ押圧部１３を押し上げると共に、その反発力に抗して鍵２のスイッチ押圧部１３で押圧されると、弾性変形するように構成されている。この場合、ドーム形状の膨出部１９内には、スイッチ基板１６の上面に設けられた一対の固定接点に接離可能に接触する一対の可動接点（いずれも図示せず）が設けられている。
【００２５】
これにより、スイッチ部１５は、図２に示すように、鍵２のスイッチ押圧部１３によってゴムシート１８に設けられたドーム形状の膨出部１９が押圧されて弾性変形すると、膨出部１９内の一対の可動接点がスイッチ基板１６上の一対の固定接点に順次接触するように構成されている。これにより、このスイッチ部１５は、スイッチ動作して、電気信号を出力するように構成されている。
【００２６】
ところで、鍵盤シャーシ１の鍵支持部６上には、図１および図２に示すように、複数の鍵２における各ヒンジ部４の下面にそれぞれ当接する複数の支点部２０が一体に設けられている。この支持部２０は、鍵２の鍵本体部５が押鍵操作されてヒンジ部４が弾性変形である撓み変形する際に、ヒンジ部４の支点となるものである。これにより、支持部２０は、ヒンジ部４が撓み変形する領域、つまり撓み変形するヒンジ部４の前後方向の長さを規制して、鍵２の押鍵荷重を設定するように構成されている。
【００２７】
すなわち、複数の支点部２０は、図１〜図５に示すように、複数の鍵２の音高に応じて各ヒンジ部４に対する当接位置が、鍵２の前後方向に徐々に異なっている。これら複数の支点部２０のうち、複数の鍵２における低音域側の各支点部２０は、図３（ａ）に示すように、各鍵本体部５側に位置する各ヒンジ部４の前部側（図３（ａ）では右側）にそれぞれ対応する位置に設けられている。
【００２８】
また、複数の鍵２における中音域側の各支点部２０は、図４（ａ）に示すように、各ヒンジ部４の前後方向におけるほぼ中間部にそれぞれ対応する位置に設けられている。同様に、複数の鍵２における高音域側の各支点部２０は、図５（ａ）に示すように、連結固定部３側に位置する各ヒンジ部４の後部側（図５（ａ）では左側）にそれぞれ対応する位置に設けられている。
【００２９】
これにより、複数の鍵２における低音域側の各支点部２０は、図３（ａ）に示すように、各ヒンジ部４の前端部（図３（ａ）では右端部）から各支点部２０までの距離Ｌ１が、中音域側の各支点部２０の距離Ｌ２よりも短く設定されている。これにより、低音域側の各支点部２０は、各ヒンジ部４が撓み変形する領域、すなわち各ヒンジ部４が撓み変形する前後方向の長さが、中音域側の各ヒンジ部４の撓み変形する前後方向の長さよりも短くなるように設定されている。
【００３０】
このため、低音域側の各支点部２０は、各ヒンジ部４が撓み変形する前後方向の長さが、中音域側の各ヒンジ部４が撓み変形する前後方向の長さよりも短く設定されていることにより、鍵２の押鍵荷重が中音域側の鍵２の押鍵荷重よりも重くなるように構成されている。この場合、低音域側の各支点部２０は、最も低音側に位置する支点部２０の距離Ｌ１が最も短く、中音域側に位置する支点部２０に向かうに従って距離Ｌ１が徐々に長くなるように設定されている。
【００３１】
また、複数の鍵２における中音域側の各支点部２０は、図４（ａ）に示すように、各ヒンジ部４の前端部（図４（ａ）では右端部）から各支点部２０までの距離Ｌ２が、低音域側の各支点部２０の距離Ｌ１よりも長く（Ｌ２＞Ｌ１）、かつ高音域側の各支点部２０の距離Ｌ３よりも短く設定されている。これにより、中音域側の各支点部２０は、各ヒンジ部４が撓み変形する領域、すなわち各ヒンジ部４が撓み変形する前後方向の長さが、低音域側に位置する各ヒンジ部４の撓み変形する長さよりも長く、かつ高音域側に位置する各ヒンジ部４の撓み変形する長さよりも短くなるように設定されている。
【００３２】
このため、中音域側の各支点部２０は、各ヒンジ部４が撓み変形する前後方向の長さが、低音域側に位置する各ヒンジ部４が撓み変形する長さよりも長く、かつ高音域側に位置する各ヒンジ部４が撓み変形する長さよりも短く設定されていることにより、鍵２の押鍵荷重が低音域側に位置する鍵２の押鍵荷重よりも軽く、かつ高音域側に位置する鍵２の押鍵荷重よりも重くなるように構成されている。この場合にも、中音域側の各支点部２０は、最も低音域側に位置する支点部２０の距離Ｌ２が最も短く、高音側に位置する支点部２０に向かうに従って距離Ｌ２が徐々に長くなるように設定されている。
【００３３】
さらに、複数の鍵２における高音域側の各支点部２０は、図５（ａ）に示すように、各ヒンジ部４の前端部（図５（ａ）では右端部）から各支点部２０までの距離Ｌ３が、中音域側の各支点部２０の距離Ｌ２よりも長く（Ｌ３＞Ｌ２＞Ｌ１）設定されている。これにより、高音域側の各支点部２０は、各ヒンジ部４が撓み変形する領域、すなわち各ヒンジ部４が撓み変形する前後方向の長さが、中音域側に位置する各ヒンジ部４の撓み変形する前後方向の長さよりも長くなるように設定されている。
【００３４】
このため、高音域側の各支点部２０は、各ヒンジ部４が撓み変形する前後方向の長さが、中音域側の各ヒンジ部４が撓み変形する前後方向の長さよりも長く設定されていることにより、鍵２の押鍵荷重が中音域側の鍵２の押鍵荷重よりも軽くなるように構成されている。この場合にも、高音域側の各支点部２０は、最も中音域側に位置する支点部２０の距離Ｌ３が最も短く、高音側に位置する支点部２０に向かうに従って距離Ｌ３が徐々に長くなるように設定されている。
【００３５】
次に、このような電子鍵盤楽器の作用について説明する。
鍵盤シャーシ１上に配列された複数の鍵２の各鍵本体部５を押鍵操作すると、この押鍵操作された鍵２のヒンジ部４が弾性変形して、鍵本体部５が押し下げられる。このときには、ヒンジ部４の弾性変形である撓み変形が支点部２０によって規制されているため、鍵本体５が音高に応じた押鍵荷重で押し下げられる。
【００３６】
また、このときには、押し下げられた鍵本体５のスイッチ押圧部１３がスイッチ部材１４のスイッチ部１５を押圧し、このスイッチ部１５のドーム状の膨出部１９を弾性変形させて、膨出部１９内の一対の可動接点をスイッチ基板１６上の一対の固定接点に順次接触させる。これにより、スイッチ部１５がスイッチ動作して、電気信号が出力され、この出力された電気信号に基づいて楽音が発音される。
【００３７】
この場合、複数の鍵２のうち、例えば、低音域側の鍵２が押鍵操作されて、ヒンジ部４が撓み変形する際には、図３（ａ）に示すように、ヒンジ部４の前端部（図３（ａ）では右端部）から支点部２０までの距離Ｌ１が、中音域側および高音域側の各距離Ｌ２、Ｌ３よりも短い（Ｌ１＜Ｌ２＜Ｌ３）。このため、ヒンジ部４が撓み変形する前後方向の長さが、中音域側および高音域側の各ヒンジ部４が撓み変形する前後方向の長さよりも短くなり、鍵２の押鍵荷重が中音域側および高音域側の各押鍵荷重よりも重くなる。
【００３８】
これにより、低音域側の鍵２における鍵本体５の押鍵ストロークに対する鍵荷重は、図３（ｂ）に示すような特性を示す。すなわち、鍵２の初期状態では、ヒンジ部４の弾性復帰力によって鍵２に初期荷重Ｆ１が付与されている。この状態で、鍵２が押鍵操作されると、図３（ａ）に示すように、ヒンジ部４が支点部２０を支点として、距離Ｌ１の長さで撓み変形する。このため、図３（ｂ）に示すように、鍵荷重が急な傾斜角度で上昇する。
【００３９】
そして、図３（ｂ）に示すように、鍵本体部５が押し下げられて押鍵ストロークＳ１に到達すると、鍵本体部５のスイッチ押圧部１４がスイッチ部１５の膨出部１９を押圧して弾性変形させる。このため、鍵荷重が急な傾斜角度で更に上昇する。この後、鍵本体部５が更に押し下げられて押鍵ストロークＳ２に到達すると、スイッチ部１５がスイッチ動作して、楽音の発音を開始する。このときの鍵荷重Ｆ２は後述する中音域側および高音域側の各押鍵荷重Ｆ３、Ｆ４よりも重くなる。
【００４０】
この状態で、更に鍵本体部５が押し下げられると、図３（ｂ）に示すように、スイッチ部１５の膨出部１９が更に弾性変形して、鍵本体部５の位置規制部９が鍵盤シャーシ１の下限ストッパ１１に当接する。このため、鍵荷重が更に急激に上昇して、押鍵ストロークＳ３で鍵本体部５の押し下げ動作が停止する。
【００４１】
また、複数の鍵２のうち、例えば、中音域側の鍵２が押鍵操作されて、ヒンジ部４が撓み変形する際には、図４（ａ）に示すように、ヒンジ部４の前端部（図４（ａ）では右端部）から支点部２０までの距離Ｌ２が、低音域側の距離Ｌ１よりも長く（Ｌ２＞Ｌ１）、かつ高音域側の距離Ｌ３よりも短い（Ｌ２＜Ｌ３）。
【００４２】
このため、中音域側の鍵２は、そのヒンジ部４が撓み変形する前後方向の長さが、低音域側のヒンジ部４が撓み変形する前後方向の長さよりも長く、かつ高音域側のヒンジ部４が撓み変形する前後方向の長さよりも短くなる。これにより、鍵２の押鍵荷重が、低音域側の押鍵荷重よりも軽く、高音域側の押鍵荷重よりも重くなる。
【００４３】
このため、中音域側の鍵２における鍵本体５の押鍵ストロークに対する鍵荷重は、図４（ｂ）に示すような特性を示す。すなわち、鍵２の初期状態では、低音域側の鍵２と同様、ヒンジ部４の弾性復帰力によって鍵２に初期荷重Ｆ１が付与されている。この状態で、鍵２が押鍵操作されると、図４（ａ）に示すように、ヒンジ部４が支点部２０を支点として、低音域側の支点部２０における距離Ｌ１よりも長い距離Ｌ２（Ｌ２＞Ｌ１）で撓み変形する。このため、図４（ｂ）に示すように、鍵荷重が低音域側の鍵荷重よりも緩やかな傾斜角度で上昇する。
【００４４】
そして、図４（ｂ）に示すように、鍵本体部５が押し下げられて、低音域側の鍵本体部５と同じ押鍵ストロークＳ１に到達すると、鍵本体部５のスイッチ押圧部１４がスイッチ部１５の膨出部１９を押圧して弾性変形させる。このため、鍵荷重が低音域側の鍵荷重よりも緩やかな傾斜角度で上昇する。この後、鍵本体部５が更に押し下げられて、低音域側の鍵本体部５と同じ押鍵ストロークＳ２に到達すると、スイッチ部１５がスイッチ動作して、楽音の発音を開始する。このときの鍵荷重Ｆ３は低音域側の鍵荷重Ｆ２よりも軽く（Ｆ３＜Ｆ２）なる。
【００４５】
この状態で、更に鍵本体部５が押し下げられると、図４（ｂ）に示すように、スイッチ部１５の膨出部１９が更に弾性変形して、鍵本体部５の位置規制部９が鍵盤シャーシ１の下限ストッパ１１に当接する。このため、鍵荷重は、低音域側の鍵荷重と同様、急激に上昇して、低音域側の鍵本体部５と同じ押鍵ストロークＳ３で、鍵本体部５の押し下げ動作が停止する。
【００４６】
さらに、複数の鍵２のうち、例えば、高音域側の鍵２が押鍵操作されて、ヒンジ部４が撓み変形する際には、図５（ａ）に示すように、ヒンジ部４の前端部（図５（ａ）では右端部）から支点部２０までの距離Ｌ３が、中音域側の距離Ｌ２よりも長い（Ｌ３＞Ｌ２）。このため、ヒンジ部４が撓み変形する前後方向の長さが、低音域側および中音域側の各ヒンジ部４が撓み変形する前後方向の長さよりも長くなり、鍵２の押鍵荷重が中音域側の押鍵荷重よりも更に軽くなる。
【００４７】
このため、高音域側の鍵２における鍵本体５の押鍵ストロークに対する鍵荷重は、図５（ｂ）に示すような特性を示す。すなわち、鍵２の初期状態では、低音域側および中音域側の各鍵２と同様、ヒンジ部４の弾性復帰力によって鍵２に初期荷重Ｆ１が付与されている。
【００４８】
この状態で、鍵２が押鍵操作されると、図５（ａ）に示すように、ヒンジ部４が支点部２０を支点として、中音域側の支点部２０における距離Ｌ２よりも長い距離Ｌ３（Ｌ３＞Ｌ２）で撓み変形する。このため、図５（ｂ）に示すように、鍵荷重が中音域側の鍵荷重よりも更に緩やかな傾斜角度で上昇する。
【００４９】
そして、図５（ｂ）に示すように、鍵本体部５が押し下げられて、低音域側および中音域側の各鍵本体部５と同じ押鍵ストロークＳ１に到達すると、鍵本体部５のスイッチ押圧部１４がスイッチ部１５の膨出部１９を押圧して弾性変形させる。このため、鍵荷重が中音域側の鍵荷重よりも緩やかな傾斜角度で上昇する。
【００５０】
この後、鍵本体部５が更に押し下げられて、低音域側および中音域側の各鍵本体部５と同じ押鍵ストロークＳ２に到達すると、スイッチ部１５がスイッチ動作して、楽音の発音を開始する。このときの鍵荷重Ｆ４は中音域側の鍵荷重Ｆ３よりも更に軽く（Ｆ４＜Ｆ３＜Ｆ２）なる。
【００５１】
この状態で、更に鍵本体部５が押し下げられると、図５（ｂ）に示すように、スイッチ部１５の膨出部１９が更に弾性変形して、鍵本体部５の位置規制部９が鍵盤シャーシ１の下限ストッパ１１に当接する。このため、鍵荷重は、低音域側および中音域側の各鍵荷重と同様、急激に上昇して、低音域側および中音域側の各鍵本体部５と同じ押鍵ストロークＳ３で、鍵本体部５の押し下げ動作が停止する。
【００５２】
このように、この電子鍵盤楽器によれば、鍵盤シャーシ１と、この鍵盤シャーシ１上に並列に配列され、それぞれ鍵盤シャーシ１に固定される連結固定部３に上下方向に弾性変形するヒンジ部４を介して鍵本体部５が形成された複数の鍵２と、鍵盤シャーシ１に設けられ、複数の鍵２の各ヒンジ部４の下面に当接する位置が複数の鍵２の音高に応じて異なる複数の支点部２０と、を備えていることにより、複数の鍵２の形状を変えず、簡単な構造で、音高に応じて複数の鍵２の鍵タッチ感を簡単に変えることができる。
【００５３】
すなわち、この電子鍵盤楽器では、複数の鍵２の各ヒンジ部４の下面に対する複数の支点部２０の当接位置に応じて、複数の鍵２の押鍵荷重を変えることができるので、複数の鍵２の各鍵タッチ感を音高に応じて変えることができる。このため、複数の鍵２の形状を変えずに、複数の支点部２０の当接位置を変えるだけの簡単な構造で、複数の鍵２の各鍵タッチ感を簡単に各鍵２の音高に応じて変えることができる。
【００５４】
これにより、複数の鍵２の製作が容易にできると共に、複数の支持部２０を鍵盤シャーシ１に一体に形成することができるので、複数の支持部２０を個別に製作する必要がない。このため、複数の支持部２０を備えていても、部品点数が増加することがないので、装置全体の生産性を向上させることができると共に、装置全体の低コスト化を図ることができる。
【００５５】
この場合、複数の支点部２０は、複数の鍵２の低音域側に位置する支点部２０がヒンジ部４の前部側に対応する位置に設置され、複数の鍵の高音域側に位置する支点部２０がヒンジ部４の後部側に対応する位置に設置されていることにより、ヒンジ部４の前端部から支点部２０までの距離を、低音域側で短く、高音域側で長くなるように設定することができる。
【００５６】
すなわち、この電子鍵盤楽器では、複数の支点部２０が、各ヒンジ部４の前端部から支点部２０までの距離を、複数の鍵２の低音域側で短く、複数の鍵２の高音域側で長くなるように設定されていることにより、低音域側に位置するヒンジ部４が弾性変形する前後方向の長さを、高音域側に位置するヒンジ部４が弾性変形する前後方向の長さよりも、短くすることができる。
【００５７】
このため、低音域側の鍵本体５と高音域側の鍵本体５とを押鍵操作して同じ押鍵ストロークだけ押し下げる際に、低音域側に位置する鍵２の押鍵荷重が、高音域側に位置する鍵２の押鍵荷重よりも、大きくなり、これにより低音域側に位置する鍵２の鍵タッチ感を、高音域側に位置する鍵２の鍵タッチ感よりも、重くすることができる。
【００５８】
また、複数の支点部２０は、各ヒンジ部４に対する当接位置が複数の鍵２の音高順に徐々に異なっていることにより、音高に応じて鍵タッチ感を徐々に変えることができる。すなわち、複数の支点部２０は、その各当接位置が低音域側から高音域側に向かう従って徐々にヒンジ部４の前部側から後部側に向けて設けられていることにより、低音域側から高音域側に向かう従って徐々に鍵タッチ感を軽くすることができる。
【００５９】
なお、上述した実施形態では、複数の鍵２の各ヒンジ部４に対する各支点部２０の当接位置を、低音域側から高音域側に向かう従って徐々に異なるように設定した場合について述べたが、これに限らず、複数の支点部２０の当接位置を、低音域側から高音域側に向かう従って複数の音高領域ごとに段階的に異なるように設定しても良い。
【００６０】
また、上述した実施形態では、複数の支点部２０を鍵盤シャーシ１の鍵支持部６に一体に形成した場合について述べたが、必ずしも一体に形成する必要はなく、例えば鍵２の配列方向に連続する帯板上に複数の支点部２０を一体に形成し、この帯板を鍵盤シャーシ１の鍵支持部６上にビスなどで取り付けるように構成しても良い。
【００６１】
このように構成すれば、帯板を鍵盤シャーシ１の鍵支持部６上に取り付けるときに、鍵２の配列方向に沿って帯板を鍵支持部６上に配置し、この帯板の両端部を鍵２の前後方向にずらして、帯板を鍵２の配列方向に対して傾けることにより、複数の支点部２０の当接位置を複数の鍵２の音高に応じて正確にかつ容易に調整することができる。
【００６２】
また、このような構成では、鍵盤シャーシ１に複数の支点部２０を一体に形成する必要がないので、上述した実施形態の場合よりも、鍵盤シャーシ１の構造を簡素化することができるので、鍵盤シャーシ１を成型するための金型を容易に製作することができる。このため、上述した実施形態の場合よりも、鍵盤シャーシ１を容易にかつ安価に製作することができる。
【００６３】
以上、この発明の一実施形態について説明したが、この発明は、これに限られるものではなく、特許請求の範囲に記載された発明とその均等の範囲を含むものである。
以下に、本願の特許請求の範囲に記載された発明を付記する。
【００６４】
（付記）
請求項１に記載の発明は、鍵盤シャーシと、この鍵盤シャーシ上に並列に配列され、それぞれ前記鍵盤シャーシに固定される固定部に上下方向に弾性変形するヒンジ部を介して鍵本体部が形成された複数の鍵と、前記鍵盤シャーシに設けられ、前記複数の鍵の前記ヒンジ部それぞれに当接する位置が前記複数の鍵の音高に応じて互いに異なる複数の支点部と、を備えていることを特徴とする鍵盤装置である。
【００６５】
請求項２に記載の発明は、請求項１に記載の鍵盤装置において、前記複数の支点部は、前記ヒンジ部の前端部から前記支点部までの距離が、前記複数の鍵の低音域側で短く、前記複数の鍵の高音域側で長く設定されていることを特徴とする鍵盤装置である。
【００６６】
請求項３に記載の発明は、請求項１または請求項２に記載の鍵盤装置において、前記複数の支点部は、前記ヒンジ部それぞれに対する当接位置が前記複数の鍵の音高順に徐々に異なっていることを特徴とする鍵盤装置である。
【符号の説明】
【００６７】
１  鍵盤シャーシ
２  鍵
３  連結固定部
４  ヒンジ部
５  鍵本体部
６  鍵支持部
１３  スイッチ押圧部
１４  スイッチ部材
２０  支点部
Ｌ１〜Ｌ３  支点部からヒンジ部の前端部までの距離
Ｆ１〜Ｆ４  鍵荷重
Ｓ１〜Ｓ３  押鍵ストローク
【図１】
2015011145.tif 000003
【図２】
2015011145.tif 000004
【図３】
2015011145.tif 000005
【図４】
2015011145.tif 000006
【図５】
2015011145.tif 000007